(57)【特許請求の範囲】
【請求項１】
土砂等の流出を防止する土留め構造であって、正面視した形状が長方形で、その長手方向に垂直な断面形状が略Ｃ型である土留め部材が、その長手方向を横にして、前記略Ｃ型の開口部を土砂等の流出側に向け、且つ、長手方向に互いに隣接する土留め部材が、その相対向する端部に内接するように挿入された連結部材によって連結され、この連結部材が予め打ち込まれた杭に固定されることによって、土留め部材が固定されることを特徴とする土留め構造。
【請求項２】
前記連結部材には、土砂等の流出側に予め打ち込まれた杭と緊締する緊締部材を挿入する貫通孔が形成された突出片が設けられていることを特徴とする請求項１に記載の土留め構造。
【請求項３】
前記連結部材には、土砂等の流出側に予め打ち込まれた杭を挿入する貫通孔が形成された突出片が設けられていることを特徴とする請求項１に記載の土留め構造。
【発明の詳細な説明】
【０００１】
【発明の属する技術分野】
本発明は、土砂等が側溝や道路や隣地等に流出することを防止する土留め構造に関するものである。
【０００２】
【従来の技術】
例えば、造成された宅地では、住宅建築前の敷地内の土砂等が風雨等によりその敷地に隣接する側溝や道路や隣地等に流出することがある。そこで、従来より、図７に示すように、敷地２０の周縁に沿って、土嚢２１が積まれたり、図８に示すように、杭２２が打ち込まれて、その杭２２に板２３が固定されたりすることによって、敷地２０内の土砂等がその敷地２０に隣接する側溝２４や道路２５等に流出することが防止されてきた。
【０００３】
【発明が解決しようとする課題】
しかし、上記従来の技術では、様々な問題点があった。すなわち、土嚢２１を積む場合、土嚢２１の作成には手間がかかり、作成された土嚢２１は重く、その運搬及び設置は重労働であった。更に、設置された土嚢２１は見栄えが悪く、その袋が劣化すると簡単に破れて、中の土砂等が側溝２４や道路２５等に流出していた。このように土嚢２１の土砂等が流出しているのは見栄えが悪い。また、打ち込まれた杭２２に板２３が固定される場合も、板２３は、表面が綺麗に処理されたものではないので、見栄えが悪くなる。
【０００４】
本発明は、上記従来の課題に鑑みてなされたものであり、本発明の目的は、見栄えのよい土留め構造を提供することである。
【０００５】
【課題を解決するための手段】
上記目的を達成するために、請求項１の発明の土留め構造は、土砂等の流出を防止する土留め構造であって、正面視した形状が長方形で、その長手方向に垂直な断面形状が略Ｃ型である土留め部材が、その長手方向を横にして、前記略Ｃ型の開口部を土砂等の流出側に向け、且つ、長手方向に互いに隣接する土留め部材が、その相対向する端部に内接するように挿入された連結部材によって連結され、この連結部材が予め打ち込まれた杭に固定されることによって、土留め部材が固定される構造である。
【０００６】
また、請求項２の発明の土留め構造は、請求項１において、前記連結部材に、土砂等の流出側に予め打ち込まれた杭と緊締する緊締部材を挿入する貫通孔が形成された突出片が設けられている構造である。
【０００７】
また、請求項３の発明の土留め構造は、請求項１において、前記連結部材に、土砂等の流出側に予め打ち込まれた杭を挿入する貫通孔が形成された突出片が設けられている構造である。
【００１０】
【発明の実施の形態】
以下、本発明の実施の形態を図面に従って説明する。
本発明の土留め構造が実施される場合、図１（ａ），（ｂ）に示すような土留め部材１が使用される。この土留め部材１は、平面視した形状が長方形で、その長手方向に垂直な断面形状が略Ｃ型をしている。土留め部材１の大きさは、特に限定されるものではないが、運搬性や作業性等を考慮すると、例えば、その長手方向の長さＬが１．５乃至３ｍ、高さＨが１５乃至３０ｃｍ、厚さＴが３乃至６ｃｍであることが適切である。また、土留め部材１の材質も、特に限定されるものではないが、運搬性や作業性等を考慮すると、塩化ビニル等の合成樹脂、アルミニウムやステンレス等の軽金属等の、軽い材質であることが好ましい。
【００１１】
次に、土留め部材１を使用する様々な土留め構造を図２乃至図６に図示して説明する。これらの図に示すように、土留め部材１は、例えば、住宅建築前の敷地２０の周縁に沿って固定されて使用される。このとき、土留め部材１は、その長手方向を横にし、略Ｃ型の断面の開口部１ａを敷地２０の内側に向けて、敷地２０の表面に当接させて固定される。なお、以下に説明する実施の形態の第１乃至第５例では、その前に説明したことと異なることを主に説明し、同一部分又は相当部分に同一符号を付して、その詳しい説明を省略する。
【００１２】
本発明の実施の形態の第１例を図２（ａ），（ｂ）に示す。
第１例では、まず、敷地２０の周縁部に杭２が打ち込まれる。そして、長手方向に互いに隣接する土留め部材１が連結部材３によって連結される。この連結部材３は、土留め部材１の端部に内接するように挿入されて嵌着されるもので、その高さ及び厚さはそれぞれ、土留め部材１の内側高さ及び内側厚さに略等しくなっている。また、連結部材３には、土留め部材１の略Ｃ型の断面の開口部１ａ側に、貫通孔３ａが形成された突出片３ｂが設けられている。この貫通孔３ａは、土留め部材１が連結されている状態で土留め部材１の長手方向に貫通されているものである。そして、その貫通孔３ａに緊締部材４が通され、この緊締部材４で前記杭２と連結部材３とが緊締されることによって、土留め部材１が敷地２０の周縁に沿って固定される。なお、杭２は、木製でも金属製でもよく、パイプを代用してもよい。また、緊締部材４は、バンドや紐や針金等でもよい。
【００１３】
本発明の実施の形態の第２例を図３に示す。
第２例では、第１実施の形態と同様に、敷地２０の周縁部に杭２が打ち込まれ、長手方向に互いに隣接する土留め部材１が連結部材５によって連結される。第１例と異なる点は、連結部材５の貫通孔５ａの貫通方向及び杭２への固定方法である。すなわち、連結部材５には、貫通孔５ａが形成された突出片５ｂが設けられており、この貫通孔５ａは、土留め部材１が連結されている状態で土留め部材１の長手方向に垂直な高さ方向に貫通されているものである。そして、貫通孔５ａを杭２に挿入させることによって、土留め部材１が敷地２０の周縁に沿って固定される。
【００１４】
このように土留め部材１の長手方向に垂直な断面形状が略Ｃ型にされることによって、連結部材３，５は、土留め部材１に嵌着され得るようになり、また、土留め部材１を杭２に固定するための突出片３ｂ，５ｂが土留め部材１の断面略Ｃ型の開口部１ａ側に設けられ得るようになる。
【００１５】
本発明の実施の形態の第３例を図４に示す。
第３例では、まず、敷地２０の周縁部に杭６が、その断面Ｈ型の２つの開口部６ａを敷地２０の周縁に沿う水平方向に向けて、その断面に垂直な方向に打ち込まれる。そして、長手方向に互いに隣接する土留め部材１の端部がそれぞれ前記断面Ｈ型の開口部６ａに挿入されることによって、土留め部材１が敷地２０の周縁に沿って固定される。この固定が可能となるように、開口部６ａの幅６ｂは、土留め部材１の厚さＴと略等しくなっている。
【００１６】
本発明の実施の形態の第４例を図５に示す。
第４例では、土留め部材１に、その長手方向に垂直な高さ方向に貫通する貫通孔１ｂが形成される。この貫通孔１ｂの数は複数であることが好ましい。そして、長手方向に互いに隣接する土留め部材１の端部がそれぞれ当接され、前記貫通孔１ｂに杭７が挿通されて敷地２０に打ち込まれることによって、土留め部材１が敷地２０の周縁に沿って固定される。この場合、杭７は、土留め部材１が固定される位置に打ち込まれるので、杭７を打ち込むための場所を確保する必要がない。なお、杭７として鉄筋が使用されてもよい。また、土留め部材１を連結する連結部材の有無は問わない。
【００１７】
このように、土留め部材１が住宅建築前の敷地２０の周縁に沿って固定されることによって、敷地２０の土砂等が周辺の側溝２４や道路２５等に流出することが防止される。しかし、敷地２０が盛り上がっている場合は、土留め部材１が１段では敷地２０の土砂等の流出を十分に防止できないことがある。そこで、この場合は、土留め部材１が複数段重ねられて、土留め部材１の高さを高くして固定される。この例を第５例として図６に示す。なお、第５例では、上述した連結部材５が使用されて、土留め部材１が３段に重ねられる場合を代表として図示している。
【００１８】
図６に示すように、土留め部材１が複数段重ねられる場合は、杭２の突出高さが土留め部材１の段数に応じた高さになるように、杭２が打ち込まれ、その後、各段の長手方向に互いに隣接する土留め部材１が連結部材５によって連結されて、各段の連結部材５の貫通孔５ａを順次杭２に挿通させて、土留め部材１が複数段重ねられる。
【００１９】
同様にして、図２に示す連結部材３が使用される場合，図４に示す断面Ｈ型の杭６が使用される場合及び図５に示す杭７が使用される場合も、杭２，６，７の突出高さが土留め部材１の段数に応じた高さになるように、杭２，６，７が打ち込まれて、土留め部材１が複数段重ねられる。
【００２０】
このように、土留め部材１は、その長手方向に垂直な断面形状が略Ｃ型にされることによって、土留め部材１の板厚を小さくしても強度を得ることができ、強度と軽さとを備えたものとなっており、また、大きさも適切であるので、運搬性や作業性等に優れている。また、その略Ｃ型の開口部１ａが敷地２０の内側に向けられて固定されることにより、その反対側の平面部分が敷地２０の外側に向けられるので、敷地２０の外側からの見栄えがよく、建築現場の印象がよくなる。更に、その平面部分に社名や商品名等が表示されると、土留め部材１は、宣伝効果を有することにもなる。
【００２１】
【発明の効果】
以上説明したように、請求項１の発明の土留め構造によれば、土留め部材の長手方向に垂直な断面形状が略Ｃ型であるので、連結部材は、土留め部材に嵌着されることが可能となり、また、土留め部材は、その板厚を小さくしても強度を得ることができ、強度と軽さとを備えたものとなっている。また、その略Ｃ型の断面の開口部が土砂等の流出側に向けられて固定されることにより、その反対側の平面部分が外側に向けられるので、外側からの見栄えがよくなる。
【００２２】
また、請求項２の発明の土留め構造によれば、連結部材に、土砂等の流出側に予め打ち込まれた杭と緊締する緊締部材を挿入する貫通孔が形成された突出片が設けられているので、その貫通孔に緊締部材が通され、この緊締部材で杭と連結部材とが緊締されることによって、土留め部材が杭にしっかりと固定され得る。
【００２３】
また、請求項３の発明の土留め構造によれば、連結部材に、土砂等の流出側に予め打ち込まれた杭を挿入する貫通孔が形成された突出片が設けられているので、その貫通孔に杭を挿入させることによって、簡単に土留め部材が杭に固定され得る。
【図面の簡単な説明】
【図１】（ａ），（ｂ）は本発明の実施に使用される土留め部材の斜視図である。
【図２】本発明の土留め構造の実施の形態の第１例を示し、（ａ）は斜視図、（ｂ）は側面断面図である。
【図３】本発明の土留め構造の実施の形態の第２例を示す斜視図である。
【図４】本発明の土留め構造の実施の形態の第３例を示す斜視図である。
【図５】本発明の土留め構造の実施の形態の第４例を示す斜視図である。
【図６】本発明の土留め構造の実施の形態の第５例を示す斜視図である。
【図７】従来の技術の土留め構造を示す斜視図である。
【図８】従来の技術の土留め構造を示す斜視図である。
【符号の説明】
１  土留め部材
１ａ  略Ｃ型の開口部
１ｂ  貫通孔
２，６，７  杭
３，５  連結部材
３ａ，５ａ  貫通孔
３ｂ，５ｂ  突出片
４  緊締部材
６ａ  Ｈ型の開口部
【図１】
0003573596.tif 000002
【図２】
0003573596.tif 000003
【図３】
0003573596.tif 000004
【図４】
0003573596.tif 000005
【図５】
0003573596.tif 000006
【図６】
0003573596.tif 000007
【図７】
0003573596.tif 000008
【図８】
0003573596.tif 000009